(57)【特許請求の範囲】
【請求項１】
手元側竿体を元竿内に収縮させた状態に保持する伸縮竿用の保持具であって、
前記手元側竿体の内周面に当接作用して、前記手元側竿体の外周面を前記元竿の内周面に向けて押し付け、前記手元側竿体を収縮状態に維持する弾性変形可能な押付部と、前記押付部を支持するとともに前記元竿に装着される支持部とを備え、
前記押付部が、弾性変形可能な棒状部材を屈曲成形したものであり、前記元竿内に収納され前記手元側竿体の内周面に圧接する半円弧状の先端作用部と、前記先端作用部より前記支持部に向けて延出されその支持部によって支持される基端部とを備えてある伸縮竿用の保持具。
【請求項２】
前記支持部がディスク体であり、そのディスク体の中心部に前記押付部を取付け、前記ディスク体の周縁部を、そのディスク体が前記元竿に取り付けられる際の取付部分として構成してある請求項１記載の伸縮竿用の保持具。
【請求項３】
手元側竿体を元竿内に収納する収縮状態と元竿より引き出す伸長状態とに切換可能に構成するとともに、請求項１又は２記載の伸縮竿用の保持具を元竿の竿尻端部内に装着してある伸縮竿の嵌合構造。
【請求項４】
手元側竿体を元竿内に収納する収縮状態と元竿より引き出す伸長状態とに切換可能に構成するとともに、請求項１又は２記載の伸縮竿用の保持具と、前記保持具の押付部によって元竿の内周面側に圧接される手元側竿体の竿尻端部外周面を受け止める受止体とを、元竿の竿尻端部内に装着してある伸縮竿の嵌合構造。
【発明の詳細な説明】
【技術分野】
【０００１】
本発明は、手元側竿体を元竿内に収縮する状態と元竿より引き出した伸長状態とに切り換える伸縮竿及び手元側竿体を収縮状態に保持する伸縮竿用の保持具に関する。
【背景技術】
【０００２】
元竿内に装着される保持具として、内嵌合固定具（公報番号：７）を設けてある。内嵌合固定具にあっては、元竿以外の手元側竿体としての元上や元上々の竿尻端部の内周面を嵌合保持すべく嵌合保持部を形成してあった。
これらの嵌合保持部にあっては、基準外周面から僅かに突出する突出面（公報番号：７ａ）を周方向３箇所に形成し、この突出面に元上等の竿尻端部の内周面を外嵌することによって、元上等の収縮状態を確立していた。
【特許文献１】実開平６−２６４６１号公報（段落〔０００７〕，図１及び図３）
【発明の開示】
【発明が解決しようとする課題】
【０００３】
上記構成においては、突出面に元上等の竿尻端部の内周面を外嵌することによって、元上等の収縮状態を確立していたが、元上等の竿尻端部の内周面に対しては、仕上加工を施すことが難しい面もあり、十分寸法精度を確保できていなかった。
一方、保持具の突出面に嵌合させて手元側竿体を収縮状態に維持するには、手元側竿体の竿尻端部の内周面に突出面の外径寸法に対応した内径を確保する必要があるところ、前記したように、内径寸法の精度を確保することが難しい面があるので、手元側竿体を収縮状態に維持することが困難になる場合もあった。
【０００４】
特に、手元側竿体の竿尻端部の内周面径が偏芯している場合や、保持具の突出面が経年変化によって磨損等を起こした場合にも、元上等を保持するに必要な嵌合力を発揮できない虞もあった。
【０００５】
本発明の目的は、保持具に改良を施すことによって、経年変化や製造上の都合が生じても、嵌合力を適正に維持することが可能な伸縮竿用の保持具、及び、伸縮竿の嵌合構造を提供する点にある。
【課題を解決するための手段】
【０００６】
〔構成〕
請求項１に係る発明の特徴構成は、手元側竿体を元竿内に収縮させた状態に保持する伸縮竿用の保持具であって、
前記手元側竿体の内周面に当接作用して、前記手元側竿体の外周面を前記元竿の内周面に向けて押し付け、前記手元側竿体を収縮状態に維持する弾性変形可能な押付部と、前記押付部を支持するとともに前記元竿に装着される支持部とを備え、前記押付部が、弾性変形可能な棒状部材を屈曲成形したものであり、前記元竿内に収納され前記手元側竿体の内周面に圧接する半円弧状の先端作用部と、前記先端作用部より前記支持部に向けて延出されその支持部によって支持される基端部とを備えてある点にあり、その作用効果は次の通りである。
【０００７】
〔作用〕
請求項１における前半部分の構成によると、次のような作用効果が得られる。
伸縮竿用の保持具は、その支持部を介して元竿内に取り付けられている。その保持具の押付部が、元竿内に収納された手元側竿体の内周面に当接作用して、手元側竿体の内周面を元竿の内周面に向けて押し付ける。このことによって、手元側竿体は前記押付部と元竿とに挟まれて、収縮状態を維持する。
【０００８】
〔効果〕
上記したように、保持具として手元側竿体を元竿に向けて押し付ける構造を採用することによって、手元側竿体の竿尻端部の内周面径が偏芯した状態にあっても、或いは、所定の内径寸法に形成されていない場合であっても、保持具としての機能を維持することができる。
【０００９】
したがって、保持具が作用する手元側竿体の内周面に対して、厳密な寸法精度や精密な加工を必要としない、製造上の効果を有する。しかも、保持具の押付部に対して、従来の円筒状を呈する保持具のように、その円筒状の外周面の円周方向複数箇所に形成されている突出面のような厳密な寸法管理を要求されず、押付に必要な弾性力を確保するだけでよい。
【００１０】
請求項１における後半部分の構成によると、次のような作用効果が得られる。
手元側竿体が元竿内に収納される場合には、先端作用部と手元側竿体の竿尻端とが接触する。先端作用部が半円弧状を呈するので、先端作用部は竿尻端からの圧接力を受けて、手元側竿体の軸線に近づく方向に撓みを生ずる。そうすると、手元側竿体の竿尻端が先端作用部を乗り越える状態で元竿の竿尻側に侵入して伸縮状態になる。
【００１１】
この状態になると、先端作用部が弾性復帰力を発揮して、手元側竿体の内周面に圧接して、この手元側竿体の外周面を元竿の内周面側に向けて押付け、手元側竿体の収納状態を固定する。
このように、先端作用部が半円弧状を呈しているので、元竿内に入り込んでくる手元側竿体の竿尻端を半円弧状部分で案内しながら手元側竿体の入り込みを許容する。手元側竿体が所定位置まで入り込むと、入り込んだ手元側竿体の内周面に接触している半円弧状の先端作用部が弾性復帰力によって、手元側竿体の内周面を元竿の内周面に向けて押し付ける。
このように、先端作用部自体が自己の有する弾性復帰力を利用して、手元側竿体の内周面を押圧するので、前記内周面の内径精度や仕上精度に関係なく押付力を与えることができる。
【００１２】
しかも、押付部は元竿内に位置しているので、一旦収納された手元側竿体の竿尻端部の内周面に先端作用部が作用した状態であっても、次の小径の手元側竿体が収納されてきた場合には、その手元側竿体の竿尻端と当接して、先端作用部が更に軸芯方向に撓みを生じて、小径の手元側竿体が大径の手元側竿体と先端作用部との間に入り込んでくる。この状態では、押付部の先端作用部は、小径の手元側竿体の竿尻端部の内周面に圧接する。そうすると、その圧接力は、小径の手元側竿体の竿尻端部の内周面を通して大径の手元側竿体の竿尻端部の内周面をも元竿の内周面に圧接して、押付部の先端作用部は、大小二つの手元側竿体を収縮状態に維持できる。
以上のように、押付部が単独のものであっても、複数個の手元側竿体を収縮状態に維持できる。
【００１３】
〔構成〕
請求項２に係る発明の特徴構成は、前記支持部がディスク体であり、そのディスク体の
中心部に前記押付部を取付け、前記ディスク体の周縁部を、そのディクス体が前記元竿に
取り付けられる際の取付部分として構成してある点にあり、その作用効果は次の通りであ
る。
【００１４】
〔作用効果〕
押付部を支持しながら、保持具自体を元竿に取り付けるにあたって、中心部と周縁部とで異なる機能を発揮できるディスク体を用いることによって、簡単な構造の支持部が構成できた。
手元側竿体内に入り込んでその手元側竿体の内周面を元竿の内周面に向けて押付る必要のある押付部については、ディスク体の中心部側に位置させることが纏まりがよい。一方、自由な使用が可能な周縁部については、ディスク体自体を元竿に取り付ける為に利用することが可能である。
このような点を考慮して、押付部をディスク体の中心部に取り付け、残された周縁部を取付部に利用することによって、二つの機能を簡単な構造であるディスク体によって達成できた。
【００１５】
〔構成〕
請求項３に係る発明の特徴構成は、手元側竿体を元竿内に収納する収縮状態と元竿より引き出す伸長状態とに切換可能に構成するとともに、請求項１又は２記載の伸縮竿用の保持具を元竿の竿尻端部内に装着してある点にあり、その作用効果は次の通りである。
【００１６】
〔作用効果〕
保持具が元竿内に収納された手元側竿体の内周面を元竿の内周面に向けて押付けるものであるので、手元側竿体の単数ではなく、複数の手元側竿体であっても、大径手元側竿体内に小径手元側竿体を収納した状態で小径手元側竿体の内周面に押付部を作用させることによって、両手元側竿体を元竿に押付付勢することができ、複数の手元側竿体を単一の保持具で収縮状態に維持できる。
【００１７】
〔構成〕
請求項４に係る発明の特徴構成は、手元側竿体を元竿内に収納する収縮状態と元竿より引き出す伸長状態とに切換可能に構成するとともに、請求項１又は２記載の伸縮竿用の保持具と、前記保持具の押付部によって元竿の内周面側に圧接される手元側竿体の竿尻端部外周面を受け止める受止体とを、元竿の竿尻端部内に装着してある点にあり、その作用効果は次の通りである。
【００１８】
〔作用効果〕
受止体を設けることによって、元竿とは異なった材質や、形状等を提示できるので、保持具によって押し付けられる手元側竿体の外周面を受け止めるに適切な形状に、受止体の内周面を形成でき、手元側竿体を適切な押付力で収縮状態に保持できる。
【発明を実施するための最良の形態】
【００１９】
渓流竿等に使用される伸縮式竿Ａについて説明する。図１（イ）（ロ）に示すように、伸縮式竿Ａは、元竿１と、元上２、元上々３等の手元側竿体を備え、これら手元側竿体を元竿１内に収納する状態と、手元側竿体のみならず、図示していない中竿、穂先竿等を伸長状態に切換可能に構成してある。手元側竿体等の竿体は、熱硬化性樹脂等を利用したプリプレグを材料として製造される。
元竿１の竿尻端部１Ａの内周面に受止体４が装着固定してあり、受止体４内には、保持具５が収納してあり、この保持具５に尻栓６が螺着してある。
【００２０】
受止体４について説明する。図１〜３に示すように、受止体４は、筒状体であり、軸線方向の竿先側半部分4Ａとその竿先側半部分４Ａに比べて大径の竿尻側半部分４Ｂとで構成してある。竿先側半部分４Ａの外周面には小径の嵌合部４ｅを形成してあり、その小径の嵌合部４ｅを元竿１の竿尻端部１Ａに内嵌装着して、受止体４を元竿１に取り付け固定する。
【００２１】
受止体４の竿先側半部分４Ａの先端には、内部側程小径となるテーパ面４ａが形成してあり、受止体４内に収納されてくる手元側竿体２，３の竿尻端を軸線側に誘導する誘導面として機能させている。
テーパ面４ａの内部端から竿尻側に向けて一定長さに亘って、内径が一定の受止部４ｂが形成されている。
【００２２】
竿尻側半部分４Ｂにおける受止部４ｂから竿尻側に向う内周面に、受止部４ｂより大きな内径の装着部を設けてあり、この装着部の内周面に尻栓６の螺着用雌ネジ部４ｃが設けてある。受止体４としては、ゴム製であり、ＮＢＲ等の材質を使用できる。但し、ナイロン等の合成樹脂を使用してもよい。
【００２３】
保持具５について説明する。図１〜図３に示すように、保持具５は、支持部としてのディスク体５Ａとそのディスク体５Ａより竿先側に向けて延出された押付部５Ｂとで構成されており、押付部５Ｂは棒状部材を釣り針状に曲げ形成したものであり、先端作用部５ａを半円弧状に形成してある。
【００２４】
押付部５Ｂは、先端作用部５ａが半円弧状に形成してあるので、半円弧状の頂点位置ａに押し付け力を受けることによって、撓みを生ずるような形状に設定されている。押付部５Ｂは、先端作用部５ａからディスク体５Ａに向けて延出されそのディスク体５Ａによって支持される基端部５ｂとを備えてある。
【００２５】
保持具５は、ディスク体５Ａを受止体４の内部空間にその後端開口部４ｄより装着部内に挿入し、受止部４ｂの後壁に当接させる状態で設置される。この状態で、ディスク体５Ａから竿先側に延出された押付部５Ｂは受止部４ｂに作用する位置に配置されている。
保持具５における押付部５Ｂの断面形状としては、円形又は角形のいずれでもよい。また、材質としては、バネ鋼等が使用でき、強度を確保できれば合成樹脂も使用できる。
【００２６】
次に、尻栓６について説明する。図１及び図２に示すように、尻栓６は、中空筒状に形成されており、筒状部６Ａの外周面に雌ネジ部６ａが形成してある。尻栓６は、アルミ等の金属、又は、ナイロン等の合成樹脂を利用して形成される。
この尻栓６を受止体４の雌ネジ部４ｃに螺着することによって、尻栓６を元竿１に取り付けることとなるとともに、尻栓６の筒状部６Ａの先側端を保持具５のディスク体５Ａに当て付け、そのディスク体５Ａを尻栓６の筒状部６Ａの先側端と受止体４の受止部４ｂの元側端とで挟み込み固定するように構成してある。
【００２７】
以上のような構成になる伸縮式竿Ａにおいて、伸長状態より収縮状態に切り換えるには、次ぎのような操作になる。つまり、図１（イ）に示すように、元上２を収縮状態に設定する前の状態では、押付具５の先端作用部５ａは、受止体４の受止部４ｂの内周面に当接させた状態にある。この状態のところに、元上２の竿尻端２ａを受止体４内に差し込むと、元上２の竿尻端２ａは、偏芯した状態にあっても、受止体４の先側テーパ面４ａに当接する状態で、受止体４の内部空間内に誘導される。
【００２８】
受止体４の内部空間に誘導された元上２の竿尻端２ａは、図１（ロ）に示すように、保持具５の半円弧状の先端作用部５ａに当接しこの先端作用部５ａを撓ませながら、乗り越えて押付具５のディスク体５Ａに達することで収縮状態に設定される。
【００２９】
図１（ロ）の状態から、さらに、元上々３を元上２内に差し入れると、図１（ハ）に示すように、元上々３の竿尻端３ａが保持具５の半円弧状の先端作用部５ａに当接して、その先端作用部５ａを撓ませるとともに、その先端作用部５ａと元上２の竿尻端部の内周面との間に入り込んで、ディスク状基端部５Ａに当接して、収縮状態に設定される。
【００３０】
図１（ハ）に示す状態では、保持具５の先端作用部５ａが元上々３の内周面に作用してその元上々３を元竿１の内周面に向けて押圧することによって、元上２にも元上々３を介して押付力を及ぼし、単一の保持具５で元上２と元上々３とを収縮状態に維持できる。
このように、単一の保持具５で元上２と元上々３とを収縮状態に維持できる構成について説明したが、保持具５の先端作用部５ａの撓み代を大きく採ることによって、さらに、別の中竿も収縮状態に維持することが可能になる。
【００３１】
〔他の実施形態〕
（１）保持具５としては、上記した形態のものに限らず、次ぎのようなものでもよい。
例えば、押付部５Ｂを支持するものとしては、ディスク状のものに限らず、円筒状の基端部であってもよく、円筒状の基端部の円周一部分に押付部を連結して構成してもよい。押付部５Ｂの先端作用部５ａとしては、円弧状のものに限定されず、山形状のものでもよく、又は、球面状のものであってもよい。
押付部５Ｂの基端部５ｂとして円弧状に形成したものを示したが、直線状に形成したものでもよい。
（２）受止体４は特に設けなくてもよい。元上２等を直接元竿１の内周面に押付部５Ｂで押し付けて、収縮状態に固定する方法を採ってもよい。
（３）手元側竿体としては、主として元上２、元上々３をいう。
【図面の簡単な説明】
【００３２】
【図１】（イ）元上を収縮する前の状態を示す縦断側面図、（ロ）元上を収縮状態に切り換えた状態を示す縦断側面図、（ハ）元上々を元上内に収縮した状態を示す縦断側面図
【図２】元竿、受止体、保持具、尻栓の組付け前の状態を示す分解縦断側面図
【図３】元上、元上々を元竿内に収納し、保持具で保持した状態を示す縦断正面図
【符号の説明】
【００３３】
１                  元竿
２                  元上（手元側竿体）
３                  元上々（手元側竿体）
４ 受止体
５                  保持具
５Ａ                ディスク体（支持部）
５Ｂ                押付部
５ａ                先端作用部
５ｂ                基端部
【図１】
0004968789.tif 000002
【図２】
0004968789.tif 000003
【図３】
0004968789.tif 000004